(57)【要約】【課題】炭への着火作業を容易にする炭火ロースターを提供すること。【解決手段】テーブル天板に係止される外胴２と、外胴２の内壁との間に吸煙空間４を形成しつつ外胴２内に係止される内胴３と、内胴３内に配置される炭コンロ２１と、炭コンロ２１の上方に設置される網１１と、吸煙空間４の上方を閉鎖する配置で前記網１１の上方に載置される吸煙リング１２と、外胴及び内胴に形成した燃焼空気供給口２０１、３０１の外側に配置したファン８と、先端部がファン７の送風口の近傍において炭コンロ２１側に向くように配置された点火ノズル９と、点火ノズル９の先端部近傍に配設した点火プラグ１０と、外胴及び内胴に形成した着火確認窓２０２、３０１を開閉自在としたシャッター６と、シャッター６を閉めることにより作動して前記ファン８を駆動可能としたリミットスイッチ７と、を備えたことを特徴とする。【選択図】図１
2007229193.tif 000002
【特許請求の範囲】
【請求項１】
テーブル天板（Ｔ）に係止される、側壁任意の箇所に外胴側燃焼空気供給口（２０１）および外胴側着火確認窓（２０２）がそれぞれ形成されるとともに排気口（２０３）が形成された外胴（２）と、
該外胴（２）内において前記外胴（２）の内壁との間に吸煙空間（４）を形成しつつ係止される、前記外胴側燃焼空気供給口（２０１）及び外胴側着火窓（２０２）に対向する箇所にそれぞれ内胴側燃焼空気供給口（３０１）及び内胴側着火確認窓（３０２）が形成された内胴（３）と、
前記内胴（３）内に配置される、前記内胴（３）内の底部に設置されるホルダー（２６）と、該ホルダー（２６）上に設置される本体部（２３）と、該本体部（２３）の下部に連設された着火源収容部（２４）と、前記本体部（２３）の底部に載置されるメッシュ状のロストル（２５）と、前記本体部（２３）の上部に設置される枠体（２２）と、を具備する炭コンロ（２１）と、
該炭コンロ（２１）の上方に設置される網（１１）と、
前記吸煙空間（４）の上方を閉鎖する配置で前記網（１１）の上方に載置される、吸煙窓（１２０１）が形成された吸煙リング（１２）と、
前記外胴側燃焼空気供給口（２０１）の外側に、送風口が外胴側燃焼空気供給口（２０１）側に向くように配置されたファン（８）と、
先端部が前記ファン（８）の送風口の近傍において前記着火源収容部（２４）側に向くように配置された、先端部から点火用ガスを噴射可能とした点火ノズル（９）と、
該点火ノズル（９）の先端部近傍に配設した、前記点火ノズル（９）の先端から噴出する点火ガスに着火するための点火プラグ（１０）と、
前記外胴側着火確認窓（２０２）を開閉自在とした扉（６）と、
該扉（６）を閉めることにより作動して前記ファン（８）を駆動可能としたスイッチ（７）と、を備えたことを特徴とする炭火ロースター。
【請求項２】
前記扉（６）をシャッター式扉にするとともに、前記スイッチ（７）を、前記扉（６）を閉めることにより作動するリミットスイッチとしたことを特徴とする請求項１に記載の炭火ロースター。
【発明の詳細な説明】
【技術分野】
【０００１】
本発明は、炭火ロースターに係り、より詳しくは、ロースター内部において炭への火起こしを可能にするとともに、炭への着火操作及び着火確認を容易にした炭火ロースターに関する。
【背景技術】
【０００２】
一般的に、焼肉等の加熱調理においては、加熱源として炭を用いることによって、炭からの輻射熱により肉等を柔らかく調理することが可能であることから、ロースターにおいても、炭を加熱源として用いた炭火ロースターが高く評価されている。
【０００３】
しかしながら、炭火ロースターの場合には、スイッチ等の操作のみで点火が可能なガス式ロースターや電気式ロースターと異なり、まず、炭の火起こしをしなければならない一方、炭への着火は時間がかかるという問題点があるため、従来の炭火ロースターでは、予め、異なった場所に設置した炉等を用いて炭の火起こしをしておき、ロースターを使用する際に、火起こしが済んでいる炭をロースターまで運びつつロースターの中に入れることが行われている。
【０００４】
そのため、このような異なった箇所で予め火起こしが済んでいる炭をロースターまで運んでいく方法では、高温の炭を移動させなければならず、特に大型の焼肉店等においては、高温の炭の持ちながら多数個あるテーブル間を移動しなければならないために、常に危険が伴うという問題点がある。
【０００５】
また、予め炉等で火起こしを行っておく方法では、火起こしの開始から実際に炭を使用するまでの時間が長い場合には、炭が燃え尽きてしまうことが往々にしてあり、それにより、資源の無駄になるとともにコストも高くなってしまうという問題点が考えられる。
【０００６】
そのために、本発明者は過去において、ロースター内において、短時間で炭の火起こしを行うことを可能とした炭コンロを提案した。
【０００７】
ここで、図３はこの従来の炭コンロを説明するための図であり、この炭コンロを用いた炭火ロースターの縦断正面構造を示している。
【０００８】
そして、図において３１が従来の炭火ロースターであり、この従来の炭火ロースターでは、テーブル天板Ｔに係止されるとともに、任意の箇所に排煙手段３２０１が連結される外胴３２を備えており、この外胴３２内には、周辺部任意の箇所において外胴３２との間に吸煙空間３４が形成される配置で内胴３３が係止され、この内胴３３内に炭コンロ４１が配設されている。
【０００９】
ここで、炭コンロ４１について説明すると、従来の炭コンロ４１では、底部中央部分に開口４２０１が形成されたすり鉢状の炭コンロ本体４２を有し、この炭コンロ本体４２内には着火具４３が係止されている。
【００１０】
そして、着火具４３は、全体をすり鉢状にするとともに底部に略円形の開口４４０１が形成された着火具本体４４と、この着火具本体４４の下側に連設された、略円筒形状の着火源収容部４５とを有しており、着火具本体４４の周縁部を前記炭コンロ本体４２の内壁に係止し、これにより、着火源収容部４５が、炭コンロ本体４２の開口４２０１より下方に突出する配置としている。
【００１１】
また、前記着火具本体４４内には、着火具本体４４の底部開口４４０１を閉鎖するような配置で、メッシュ状の網により形成した網ロストル４６が配置されており、この網ロストル４６は、その中央部及びその周辺部において前記開口４４０１を閉鎖するとともに、周縁部が前記着火具本体４４の内壁部分に係止可能な寸法にしているとともに、その中央部分を凸状にしている。
【００１２】
そして、このように構成される炭火ロースター３１を使用する場合には、前記炭コンロ本体４２をロースターの内胴３３内に係止し、その状態で、網ロストル４６上に細かく砕いた屑炭を略平らに敷きつめ、更にその上に、任意の長さで切断した炭を積み重ねる。
【００１３】
次に、新聞紙等の可燃性の素材を細長く切り裂いたものをロール状にまるめて着火源を構成し、この着火源を前記着火源収容部４５内に挿装する。
【００１４】
そして、その後に、ライター等の火種を用いて着火源に着火するとともに、シロッコファン等を用いて、炭コンロが係止されている内胴内に燃焼空気を供給する。
【００１５】
そうすると、着火源からの火により、まず屑炭に着火され、その後、この屑炭よりの火によって炭に着火し、これにより、炭コンロ４１内で炭の火起こしを行うことが可能となる。
【特許文献１】特開２００５−２７０２８１号公報
【発明の開示】
【発明が解決しようとする課題】
【００１６】
しかしながら、前述の従来の炭火ロースターでは、ライター等の火種を用いて着火源に着火しなければならないために着火作業が面倒になるという問題点が考えられる。
【００１７】
また、従来の炭火ロースターでは、着火源に着火した後にファン３６を駆動する動作が必要になるため、これによっても着火作業が面倒になるとともに、ファン３６の駆動を忘れてしまい、これによって炭の燃焼空気を供給することができず、炭を有効に燃焼させることができなくなってしまうという問題点も考えられる。
【００１８】
そこで、本発明は、ロースター内部で炭の火起こしを可能とした炭火ロースターにおいて、炭への着火作業を容易にすることを可能とした炭火ロースターを提供することを課題としている。
【課題を解決するための手段】
【００１９】
本発明における炭火ロースターは、
テーブル天板に係止される、側壁任意の箇所に外胴側燃焼空気供給口および外胴側着火確認窓がそれぞれ形成されるとともに排気口が形成された外胴と、
該外胴内において前記外胴の内壁との間に吸煙空間を形成しつつ係止される、前記外胴側燃焼空気供給口及び外胴側着火窓に対向する箇所にそれぞれ内胴側燃焼空気供給口及び内胴側着火確認窓が形成された内胴と、
前記内胴内に配置される、前記内胴内の底部に設置されるホルダーと、該ホルダー上に設置される本体部と、該本体部の下部に連設された着火源収容部と、前記本体部の底部に載置されるメッシュ状のロストルと、前記本体部の上部に設置される枠体と、を具備する炭コンロと、
該炭コンロの上方に設置される網と、
前記吸煙空間の上方を閉鎖する配置で前記網の上方に載置される、吸煙窓が形成された吸煙リングと、
前記外胴側燃焼空気供給口の外側に、送風口が外胴側燃焼空気供給口側に向くように配置されたファンと、
先端部が前記ファンの送風口の近傍において前記着火源収容部側に向くように配置された、先端部から点火用ガスを噴射可能とした点火ノズルと、
該点火ノズルの先端部近傍に配設した、前記点火ノズルの先端から噴出する点火ガスに着火するための点火プラグと、
前記外胴側着火確認窓を開閉自在とした扉と、
該扉を閉めることにより作動して前記ファンを駆動可能としたスイッチと、を備えたことを特徴としている。
【発明の効果】
【００２０】
本発明の炭コンロでは、着火源に点火するための点火ノズル及び点火プラグを備え、これにより、ライター等を用いること無く炭の火起こしを可能としているために、火起こしが容易である。
【００２１】
また、着火源への着火確認窓を開閉自在とした扉を備えるとともに、この扉を閉めることにより作動するスイッチを備え、扉を閉めることによりスイッチを作動させてファンを駆動可能としており、これにより、着火確認後に扉を閉めることで自動的にファンが駆動するため、ファンの駆動操作が不要となり、ファンの駆動忘れも無くすることができる。
【発明を実施するための最良の形態】
【００２２】
本発明の炭火ロースターでは、テーブル天板に係止される外胴を備えており、この外胴は、側壁任意の箇所に外胴側燃焼空気供給口および外胴側着火確認窓がそれぞれ形成され、更に、底部には、排気ダクトが連結される排気口が形成されている。
【００２３】
また、外胴内には、内胴が係止されており、この内胴には、前記外胴側燃焼空気供給口及び外胴側着火窓に対向する箇所にそれぞれ内胴側燃焼空気供給口及び内胴側着火確認窓が形成され、更に、内胴は、周辺部において外胴との間に吸煙空間が形成される配置で、外胴内に係止されている。
【００２４】
次に、内胴内には炭コンロが配置されており、この炭コンロは、内胴内の底部に設置されるホルダーを有し、このホルダーの上部には、底部中央部分に開口が形成された本体部が設置されている。そして、この本体部の下方には、略円筒状にするとともにその内部に紙等の可燃性着火源を収容可能とした着火源収容部が連設されている。また、本体部内には、本体部の開口の上方に、メッシュ状にするとともに中央部分を凸状とした網ロストルが載置され、更に、本体部の上方側には、その下端部分が着火具本体の内周側に挿装される配置で枠体が配置されている。
【００２５】
そして、このように構成される炭コンロの上方には網が設置されており、更に、この網の上方には、吸煙窓が形成された吸煙リングが、前記吸煙空間の上方を閉鎖する配置で設置されている。
【００２６】
次に、前記外胴側燃焼空気供給口の外側には、ファンが、その送風口が外胴側燃焼空気供給口側に向くように配置されている。
【００２７】
また、本発明の炭火ロースターでは、前記着火源収容部内に収容した着火源に点火するための点火ノズルを有しており、この着火ノズルは、その先端部が前記ファンの送風口の近傍において着火源収容部側に向くようにして配置され、先端部から、着火源収容部側に向けて点火用ガスを噴射可能としている。
【００２８】
更に、点火ノズルの先端部近傍には、点火ノズルの先端から噴出する点火ガスに着火するための点火プラグを備えている。そしてこれにより、点火ノズルにガス管等のガス供給管を連結した状態で点火つまみを回すことにより、点火ノズルの先端からガスを噴出するとともに、点火プラグにより噴出させたガスに着火させ、その炎により着火源収容部に収容した着火源に着火可能としている。
【００２９】
また、外胴には、前記外胴側着火確認窓を開閉自在としたシャッターを備えるとともに、このシャッターを閉めることにより作動して前記ファンを駆動可能としたスイッチを有しており、着火の確認後にシャッターを閉めることでファンが駆動し、これにより、内胴内に炭の燃焼空気が供給されることとしている。
【実施例１】
【００３０】
本発明の炭火ロースターの実施例について図面を参照して説明すると、図１は、本実施例に用いる炭火ロースターをテーブル天板に係止した状態における一部断面図であり、図において１が炭火ロースター、また、Ｔがテーブル天板である。
【００３１】
そして、この炭火ロースター１は、テーブル天板Ｔに形成された切欠内に挿装される外胴２を備えており、この外胴２は、有底の略円筒状、または上部を開口とした有底の箱形状としている。そして、その底部には、図示しない排気ダクトが連結される排気口２０３が形成され、この排気口２０３を塞ぐようにしてグリスフィルター２０４が配置され、更にグリスフィルター２０４の下方には防火用ダンパー２０５が配設されている。
【００３２】
また、外胴２の側壁には外胴側燃焼空気供給口２０１が形成されており、更に、同じく外胴２の側壁には外胴側着火確認用窓２０２が形成されている。なお、外胴側燃焼空気供給口２０１及び外胴側着火確認用窓２０２の形成箇所は特に限定されず、互いに異なった位置に形成されていればよい。
【００３３】
次に、前記外胴２内には内胴が係止されている。即ち、図において３が内胴であり、本実施例において前記内胴３は、有底の略円筒形状としており、上端部には、その全域において、外周側に向けて係止縁部３０３が形成されている。
【００３４】
また、側壁任意の箇所には係止突起３０４が突設されており、この係止突起３０４を、前記外胴２の内周側に形成した係止棚部２０６に係止し、これにより、外胴２内に内胴３が係止されているとともに、係止に際しては、内胴３の外周と前記外胴２の内壁との間に吸煙空間４が形成されるようにしている。
【００３５】
また、前記内胴３の側壁には、内胴３を外胴２に係止した際に前記外胴側燃焼空気供給口２０１及び外胴側着火確認用窓２０２に対向する箇所にそれぞれ、内胴側燃焼空気供給口３０１及び内胴側着火確認用窓３０２が形成されている。
【００３６】
なお、本実施例においては、外胴側燃焼空気供給口２０１及び外胴側着火確認用窓２０２の上下部分には内側に向けて外胴側ひさし部２０８が形成され、また、内胴側燃焼空気供給口３０１及び内胴側着火確認用窓３０２の上下部分には外側に向けて内胴側ひさし部３０５が形成されており、上下の内胴側ひさし部３０５のそれぞれが、上下の外胴側ひさし部２０８のそれぞれの上側になるように配置している。そしてこれにより、内胴３を上方に持ち上げることのみで内胴３を取り外すことを可能にしている。
【００３７】
なお、図において５は水槽であり、本実施例においては、前記内胴２内の底部に水槽５を配設するとともに、この水槽５を灰受けに兼用している。
【００３８】
次に、図において１２は吸煙リングである。即ち、本実施例の炭火ロースター１では、前記吸煙空間４の上方に、吸煙空間４を閉塞するような配置で吸煙リング１２を備えている。そして、この吸煙リング１２は、複数個の吸煙窓１２０１を備えたリング状としており、その上端側を前記外胴２の内周側上部近傍に形成した係止部２０７に係止しつつ、その下端を前記内胴３の係止縁部３０３上に載置して設置されている。
【００３９】
また、前記吸煙リング１２の上方には化粧リング１３が設置されており、本実施例においてこの化粧リング１３は、リング状にするとともに周縁部を下方に向けた形態し、下方に向けた周縁部の下端を前記吸煙リング１２の周縁部に載置して装着されている。
【００４０】
次に、前記内胴３の内部には炭コンロ２１が配設されており、この炭コンロ２１の上方には、肉、野菜等を載置して加熱調理するために用いる網１１が載置されている。
【００４１】
ここで、前記炭コンロ２１について説明すると、本実施例において炭コンロ２１は、水槽５内に設置されるホルダー２６を有し、このホルダー２６の上部には本体部２３が支持され、この本体部２３の上方には枠体２２が設置されて構成されており、枠体２２の上部部分に前記網１１を載置可能としている。
【００４２】
そして、本体部２３は、全体を略すり鉢状にするとともに底部に略円形の開口が形成されている。
【００４３】
また、前記本体部２３の下方側には、前記本体部２３の底部開口に連通した着火源収容部２４が連設されており、本実施例においてこの着火源収容部２４は、略円筒形状とし、その内部に紙等の着火源１５を収容可能としている。
【００４４】
次に、前記本体部２３内には、本体部２３の底部開口を閉鎖するような配置で、メッシュ状の網により形成した網ロストル２５が配置されている。そして、本実施例においてこの網ロストル２５は、その周縁部が前記本体部２３の内壁部分に係止可能な寸法にしているとともに、その中央部分２５０１を凸状にしている。
【００４５】
また、前記本体部２３の上方には枠体２２が配設されている。ここで、この枠体２２について説明すると、本実施例において前記枠体２２は、全体として略すり鉢状にするとともに、底部には開口が形成されており、その下端部分が前記本体部２３内に挿装される配置で、前記内胴３に形成した係止縁部３０３に係止されている。
【００４６】
次に、図において８は、前記内胴３内へ炭の燃焼空気を送り込むためのファンであり、このファン８は、前記外胴側燃焼空気供給口２０１の外側に、通風口が前記外胴側燃焼空気供給口２０１側に向くような配置で設置されている。
【００４７】
また、本実施例の炭火ロースター１では、前記着火源収容部２４内に収容された紙等の着火源１５に着火するための点火ノズル９が備えられている。そして、この点火ノズル９は、その先端部が前記ファン８の通風口近傍に配置されており、また他端は、点火ユニット１４内に延設されており、他端にガスボンベ等のガス供給手段Ｂを連結することで、先端部から点火用ガスを噴出可能としている。
【００４８】
更に、この点火ノズル９の先端部近傍には、点火ノズル９より噴出させたガスに点火するための点火プラグ１０が配置されている。そして、点火ノズル９の他端にガス供給手段を連結した状態で点火ユニット１４に備えた点火つまみ１４０８を操作することにより、点火ノズル９の先端からガスを噴出するとともに、この噴出させたガスに向けて点火プラグ１０から火花を飛ばし、これにより、前記着火源収容部２４内に収容された紙等の着火源１５に着火可能としている。
【００４９】
従って、本実施例の炭火ロースター１では、ライター等を用いることなく着火源１５に着火することができ、炭の火起こし作業が極めて容易である。
【００５０】
次に、図において６は、前記外胴側着火確認用窓２０２の外側に配置した扉であり、本実施例の炭火ロースター１では、外胴２における前記外胴側着火確認用窓２０２の外側に扉としてのシャッターを開閉自在に配置し、これにより、前記外胴側着火確認用窓２０２の開閉を可能としている。
【００５１】
そして、本実施例においては、このシャッター６の近傍にリミットスイッチ７を配置するとともに、このリミットスイッチ７を前記ファン８に接続し、シャッター６を閉じた際にリミットスイッチ７が作動してファン８が駆動するようにしている。
【００５２】
このように、本実施例の炭火ロースター１では、着火源への着火を確認した後にシャッター６を閉じるのみでファン８を自動的に駆動することができるので、ファン８の駆動忘れを未然に防止することができる。
【００５３】
なお、ここで、図２は前記点火ユニット１４の内部構成を示すブロック図であり、図において１４０１は基板である。そして、この基板１４０１には電源１４０２を接続可能とし、更に、メインスイッチ１４０３、前記リミットスイッチ７及びファン８が接続されている。
【００５４】
一方、前述したように、前記リミットスイッチ７とファン８は接続されており、シャッター６を閉じることでリミットスイッチ７がオンすると、それに連動してファン８が駆動することとしている。
【００５５】
なお、図において１４０４はファン８用の可変ボリュームであり、本実施例においては、ボリュームつまみ１４０５を操作することにより、可変ボリューム１４０４を介して、前記ファン８の回転速度を可変自在としている。
【００５６】
次に、図において１４０７は点火コック、１４０８は点火つまみであり、前記点火コック１４０７内には、先端部に点火ノズル９を備えたガス管が配設されるとともに、このガス管の他端にはガス供給口１４０９が連結されており、更に、点火コック１４０７には、先端部に点火プラグ１０が接続されたイグナイター１４０６が接続されている。そして、ガス供給口１４０９にガスボンベ等のガス供給手段Ｂを連結した状態で点火つまみ１４０８を着火側に回すことで、点火ノズル９より点火用ガスを噴出するとともに、点火プラグ１０から火花を飛ばし、点火ノズル９より噴出させたガスに着火させ、この火によって、着火源収容部２４内に収容した着火源に着火可能としている。
【００５７】
次に、このように構成される本実施例の炭火ロースターの作用について説明すると、本実施例の炭火ロースター１を用いて焼肉等の調理を行う場合には、点火ユニット１４に商用１００Ｖあるいは２００Ｖ等の電源を接続するとともにメインスイッチ１４０３をオンにし、更に、ガス供給口１４０９にガスボンベ等を連結した状態において、まず、新聞紙等の可燃性素材によりなる着火源１５を着火源収容部２４内に挿装する。
【００５８】
そして、その後に、前記網ロストル２５上に、まず、細かく砕いた屑炭１６を、網ロストル２５における凸部分２５０１を除いて略平らに敷きつめ、更にその屑炭１６上に、任意の長さで切断した炭１７を積み重ねる。
【００５９】
次に、シャッター６を開放した状態において、点火つまみ１４０８を着火側に回す。そうすると、点火ノズル９の先端より点火用ガスが噴出するとともに、点火プラグ１０から火花が出て前記点火用ガスに引火し、この炎が矢印Ａで示すように着火源１５に向い、これにより着火源１５に着火することができる。
【００６０】
そして、着火確認用窓２０２、３０２を介して着火源への着火を確認した後にシャッター６を閉じると、リミットスイッチ７がオンになり、これによりファン８が駆動し、外胴側燃焼空気供給口２０１および内胴側燃焼空気供給口３０１を介して、炭の燃焼空気が内胴３内に供給される。
【００６１】
そうすると、着火源１５からの火により、まず屑炭１６に着火され、その後、この屑炭１６よりの火によって炭１７に着火し、これにより炭１７の火起こしが完了する。そして、この火起こしが完了した炭１７の熱により、網１１上に載置した肉、野菜等を加熱調理することが可能となる。
【００６２】
このように、本実施例の炭火ロースターでは、火種ライター等を用いること無く、着火つまみを着火側に回すことのみで炭の火起こしを行うことができるために、火起こし炭への着火作業を容易にすることが可能である。
【００６３】
また、着火源への着火を確認した後にシャッターを閉めるのみでファンを駆動させることができるために、ファンの駆動忘れを未然に防止することも可能である。
【００６４】
なお、前記シャッターの開閉方法は特に限定されず、シャッター自体を手動で開閉してもよく、あるいは、開閉用のスイッチを備え、そのスイッチを操作することでシャッターを開閉可能としてもよい。
【産業上の利用可能性】
【００６５】
本発明では、ロースター内部において短時間で炭への着火を行うことを可能にした炭火ロースターにおいて、炭への着火作業を容易にするとともに、炭の燃焼空気を供給するためのファンの駆動忘れを防止することもできるため、炭を用いた加熱調理器全般に適用可能である。
【図面の簡単な説明】
【００６６】
【図１】本発明の炭火ロースターの実施例を説明するための一部断面図である。
【図２】本発明の炭火ロースターの実施例における点火ユニットの構成を示すブロック図である。
【図３】従来の炭火ロースターを説明するための断面図である。
【符号の説明】
【００６７】
１    炭火ロースター
２    外胴
２０１    外胴側燃焼空気供給口
２０２    外胴側着火確認窓
２０３    排気口
２０４    フィルター
２０５    防火ダンパー
２０６    内胴受け
２０７    係止棚部
２０８    外胴側ひさし部
３    内胴
３０１    内胴側燃焼空気供給口
３０２    内胴側着火確認窓
３０３    係止縁部
３０４    係止突起
３０５    内胴側ひさし部
４    吸煙空間
５    水槽
６    シャッター
７    リミットスイッチ
８    ファン
９    点火ノズル
１０    点火プラグ
１１    網
１２    吸煙リング
１３    化粧リング
１４    点火ボックス
１５    着火源
１６    屑炭
１７    炭
２１    炭コンロ
２２    枠体
２２０１    開口
２３    本体部
２４    着火源収容部
２５    網ロストル
２５０１    凸状にしたロストルの中央部分
２６    ホルダー
Ｔ    テーブル天板
Ｂ    ガスボンベ
【図１】
2007229193.tif 000003
【図２】
2007229193.tif 000004
【図３】
2007229193.tif 000005